(57)【特許請求の範囲】
【請求項１】
パチンコ球が流下する球通路にその支持部が出没動し該球通路内の最先のパチンコ球の流下を制止するための作動体と、前記作動体を駆動させる電気的駆動源とを備え、前記作動体の係合部を前記電気的駆動源の操作体に連繋させ、該電気的駆動源の操作体が移動することで該作動体の支持部が球通路内に出没動するようにしたパチンコ機の球払出装置において、
前記作動体に設けられる係合突片は、前記電気的駆動源の操作体が前記作動体の支持部を前記球通路内に突出させるように移動した時に、該電気的駆動源の操作体の衝止部に係合するようになっており、
前記係合突片と前記衝止部とが係合している時は、前記球通路から該球通路に突出している前記作動体の支持部を押動しても、該作動体が該球通路から没する方向へと移動しないようロックされるようにしたことを特徴とするパチンコ機の球払出装置。
【請求項２】
パチンコ球が流下する球通路にその支持部が出没動し該球通路内の最先のパチンコ球の流下を制止するための作動体と、前記作動体を駆動させる電気的駆動源とを備え、前記作動体をリンク部材と連結し該リンク部材の係合部を前記電気的駆動源の操作体に連繋させ、該電気的駆動源の操作体が移動することで該作動体の支持部が球通路内に出没動するようにしたパチンコ機の球払出装置において、
前記作動体に設けられる突部は、前記電気的駆動源の操作体が前記作動体の支持部を前記球通路内に突出させるように移動した時に、該リンク部材の衝止部に係合するようになっており、
前記突部と前記衝止部とが係合している時は、前記球通路から該球通路に突出している前記作動体の支持部を押動しても、該作動体が該球通路から没する方向へと移動しないようロックされるようにしたことを特徴とするパチンコ機の球払出装置。
【請求項３】
パチンコ球が流下する球通路にその支持部が出没動し該球通路内の最先のパチンコ球の流下を制止するための作動体と、前記作動体を駆動させる電気的駆動源とを備え、前記作動体をリンク部材と連結し該リンク部材の係合部を前記電気的駆動源の操作体に連繋させ、該電気的駆動源の操作体が移動することで該作動体の支持部が球通路内に出没動するようにしたパチンコ機の球払出装置において、
前記リンク部材に設けられる係合突片は、前記電気的駆動源の操作体が前記作動体の支持部を前記球通路内に突出させるように移動した時に、該電気的駆動源の操作体の衝止部に係合するようになっており、
前記係合突片と前記衝止部とが係合している時は、前記球通路から該球通路に突出している前記作動体の支持部を押動しても、該作動体が該球通路から没する方向へと移動しないようロックされるようにしたことを特徴とするパチンコ機の球払出装置。
【発明の詳細な説明】
【０００１】
【発明の属する技術分野】
本発明は、パチンコ機の球払出装置に関するもので、特に不正防止機能を備えた球払出装置に関するものである。
【０００２】
【従来の技術】
従来のパチンコ機は、周知のように合成樹脂製の機構板が装着されており、該機構板には球タンクおよび球払出装置が設けられている。そして、球払出装置は、最先のパチンコ球を球止めする球停留手段を備え、該球停留手段を作動することにより、球タンクに貯留されるパチンコ球を球排出樋に払出す。そして、払出されたパチンコ球は上部球受皿に導かれ、該上部球受皿の余剰球は、余剰球排出樋を介して下部球受皿に貯留される。
【０００３】
【発明が解決しようとする課題】
しかしながら、従来のパチンコ機にあっては、下部球受皿から球払出装置に至るまで何等障壁が設けられていないことから、遊技者が上部球受皿または下部球受皿から針金等の不正具を差込み、余剰球排出樋，球排出樋を介して球払出装置の最先のパチンコ球を止めている球停留手段を直接操作して、故意にパチンコ球を払出すという不正行為がしばしば行われていたという問題ががあった。
【０００４】
本発明は上記した問題に鑑みてなされたもので、その目的とするところは、パチンコ機の前面から球払出装置に針金等の不正具を差込んで行う不正行為を防止するようにしたパチンコ機の球払出装置を提供することにある。
【０００５】
【課題を解決するための手段】
上記目的を達成するために、請求項１記載の発明は、パチンコ球が整列状にて流下する球通路に出没動することでパチンコ球の流下を制止し得る球停留手段を設けてなるパチンコ機の球払出装置において、前記球通路に臨む球停留手段側から該球停留手段が操作できないように不正防止用のロック手段を設けたことを特徴とする。
【０００６】
請求項２記載の発明は、前記請求項１記載の発明において、前記球停留手段は、最先のパチンコ球を支持する作動体と該作動体を作動する電気的駆動源とからなり、前記ロック手段を作動体および電気的駆動源に設けたことを特徴とする。
【０００７】
請求項３記載の発明は、前記請求項１記載の発明において、前記球停留手段は、最先のパチンコ球を支持する作動体と該作動体をリンク部材を介して作動する電気的駆動源とからなり、前記ロック手段を作動体とリンク部材とに設けたことを特徴とする。
【０００８】
請求項４記載の発明は、前記請求項１記載の発明において、前記球停留手段は、最先のパチンコ球を支持する作動体と該作動体をリンク部材を介して作動する電気的駆動源とからなり、前記ロック手段を、リンク部材と電気的駆動源とに設けたことを特徴とする。
【０００９】
請求項５記載の発明は、パチンコ球が整列状にて流下する球通路に出没動することでパチンコ球の流下を制止し得る作動体を設けてなるパチンコ機の球払出装置において、前記作動体の先端下面を先細テーパ状に形成したことを特徴とし、先端部を針金等の不正具により押圧できないようにした。
【００１０】
前記球通路の少なくともパチンコ球が払出される通路部分を五角形以上の多角形としたことを特徴とし、針金等の不正具によりパチンコ球が通過できないようにするのが好ましい。
【００１１】
また、前記パチンコ球が払出される通路部分を屈曲状にするのが好ましく、より不正具の侵入時にパチンコ球が払出されるのを阻止する。
【００１２】
上記構成により、遊技者がパチンコ機の前面側の上部球受皿や下部球受皿から余剰球排出樋，球排出樋を介して球払出装置部分に針金等の不正具を差込んでも、ロック手段により球停留手段が作動されず、故意にパチンコ球を払出す不正行為が確実に防止される。
【００１３】
【発明の実施の形態】
次に、本発明の実施の形態を図面を参照して説明する。図１は本発明が適用されるパチンコ機の正面図、図２はその裏面図である。図１において、１はパチンコ機の前面枠、２は前面枠１の裏面に着脱自在に取付けられる遊技盤である。前記前面枠１には、遊技盤２の前面および下部を覆うガラス扉枠３および前面板４が開閉自在に装着される。そして、前面板４の前面に打球を供給する上部球受皿５が装着され、前面枠１の下部には上部球受皿５の余剰球を貯留する下部球受皿６と操作ハンドル７が装着されている。
【００１４】
前記遊技盤２の裏面には合成樹脂製の機構板８が装着されており、該機構板８の裏面上部には球タンク９が固着されている。また、球タンク９の下方にはパチンコ球を整列して導き出すタンクレール１０とカーブレール１１が配設され、その下流端に球払出装置１２が接続される。
【００１５】
前記球払出装置１２の下方には、該球払出装置１２から払出されたパチンコ球を球導出路１３を介して前記上部球受皿５に導く球排出樋１４と上部球受皿５の余剰球を流下樋１５を介して下部球受皿６に導く余剰球排出樋１６が後面開放した樋状に形成され、開放側を裏カバー１７で閉塞している。１８は、球排出樋１４に設けられ、球払出装置１２から払出されたパチンコ球が衝突して音を出す鈴である。
【００１６】
前記球払出装置１２は、図３および図４に示すように、ケース体２０と最先のパチンコ球を停留する球停留装置２１とからなり、ケース体２０は前記カーブレール１１と連通する通路部２２を有するケース枠体２０ａとその前面を覆うカバー体２０ｂとで構成され、前記通路部２２は緩やかな下傾状に形成された供給通路部２２ａと鉛直な払出通路部２２ｂとで構成される。また、前記球停留装置２１は、作動体２３と電気的駆動源としてのソレノイド２４とからなり、作動体２３はリンク部材２５を介してソレノイド２４と連繋している。前記ケース体２０には、ソレノイド２４の放熱孔２６およびリンク部材２５の回動規制部２７が設けられている。２８はソレノイド２４を手動で作動させるための開口であり、２９はソレノイド２４のガイドリブである。
【００１７】
前記作動体２３は、払出通路部２２ｂの内周側に支軸３０により揺動自在に軸支され、通路部２２に進退する支持部３１が嘴状に尖っており、該支持部３１の上面が支軸３０を中心とする円弧面状に形成され、支持部３１下面は、図７（イ）断面に示すように下方に向って先細テーパ状に形成されている。そして該作動体２３の基部に長孔３２を設け、該長孔３２をリンク部材２５の係合ピン３４に係合させている。リンク部材２５は、全体形状をく字状に形成し、作動体２３の下方に位置して軸３５により回動自在に軸着され、後端に二股状の係合部３６が形成されており、ソレノイド２４のプランジャー３７に固着された操作体３８の突片３９を係合させている。そして、ソレノイド２４が励磁作動するとリンク部材２５を介して作動体２３が支軸３０を支点として反復回転し、先端支持部３１が通路部２２の内周壁に開設された窓孔４０より通路部２２に出没動することで、供給通路部２２ａの最先パチンコ球の流下を制止し得るように構成している。
なお、作動体２３が臨む通路部２２は、垂直状通路に限られることなく、球圧を通路部で受ける斜状通路に設けるようにしてもよい。また、支持部３１下面は、図７（ロ）に示すように内側に入り込む断面形状にしてもよい。
【００１８】
また、図６にも示したように、４１は投光器４１ａと受光器４１ｂとからなる光学式の球計数用センサ、４２は該センサ４１を支持しているコ字状取付枠で、該センサ４１は該取付枠４２によって支持部３１により支持されるパチンコ球の僅かに下流位置で、しかも通路部２２の中心線からずれた位置でその光軸が交差するように配置される。そして該支持部３１による制止が開放された直後のパチンコ球が光軸を遮ることで該パチンコ球を検知し得るように配置される。言い換えれば、支持部３１により制止されているパチンコ球は光軸を遮断することなく未だ検知されない状態にある。４３はセンサ４１を囲う遮蔽板であり、断面コ字型で平行な二片の両先端縁に係止孔４４，４４が設けられており、前記ケース体２０に設けられた爪部４５，４５に遮蔽板４３の弾性を利用して係合することにより取付けることができる。なお、この際、遮蔽板４３がケース枠体２０ａとカバー体２０ｂとに跨って取付けられることにより、ビスを用いることなく同時に球払出装置１２の組立が可能となる。
【００１９】
しかして、前記作動体２３を球通路２２側から操作できないように不正防止用のロック手段４６を作動体２３およびリンク部材２５に設けている。該ロック手段４６は、作動体２３の下方に設けられる突部４７とリンク部材２５に設けられる衝止部４８とで構成される。該突部４７および衝止部４８は、常に対峙状態にあり、前記リンク部材２５の支軸３５のほぼ軸上に位置している。
【００２０】
上記のように構成されるパチンコ機は、球払出制御装置からの指令により球払出装置１２のソレノイド２４が励磁され、リンク部材２５が回動し係合ピン３４が長孔３２を移動して衝止部４８と突部４７の対峙位置がずれて、作動体２３が図５鎖線に示したように回動して支持部３１が窓孔４０から没し、支持部３１に支持されていたパチンコ球が制止されなくなることで、自重により該パチンコ球が払出通路部２２ｂを介して球排出樋１４に払出される。そして、球計数用センサ４１が所定数のパチンコ球を検出したところで該球払出制御装置から再び指令が出て支持部３１が通路部２２に突出することでパチンコ球の払出しが停止する。そして、球排出樋１４に払出されたパチンコ球は、鈴１８に当りながら球導出路１３を介して上部球受皿５に導かれる。
【００２１】
また、本発明において、遊技者が図８鎖線に示すようにパチンコ機の前面側の上部球受皿５の球導出路１３または下部球受皿６の流下樋１５からピアノ線等の不正具Ｗを差込み、余剰球排出樋１６，球排出樋１４を介して球払出装置１２を作動させようとしても、突部４７が衝止部４８が衝止してリンク部材２５を支軸３５方向に押すため、リンク部材２５を回動させる作用力が働かず、作動体２３を作動させることができないので、故意に球停留手段２１を作動させてパチンコ球を払出すという不正行為を未然に防止することができる。さらに、支持部３１下面を下方に向って先細テーパ状に形成していることから、作動体２３を上方に押し上げようとしても、不正具Ｗが該テーパーにより滑り、作動体２３を作用させ難くなる。なお、前記突部４７と衝止部４８の衝止位置は、リンク部材２５の支軸３５の軸線上より右側に位置するのが好ましく、リンク部材２５を逆回転させる作用力を与えるようにした方がよく、このときリンク部材２５は回動規制部２７により回動規制される。
【００２２】
また、球払出装置１２が正規な作動をしてパチンコ球を払出しているときに、不正具Ｗを挿入して、払出終了後も作動体２３を退動している状態に維持して不正にパチンコ球を払出そうとしても、支持部３１のの先端が先細テーパ状に形成されているために、該テーパーにより不正具Ｗが滑り、作動体２３の支持部３１が通路部２２に臨むので、パチンコ球の流下が阻止され不正にパチンコ球を払出すことはない。
【００２３】
図９はロック手段の他の実施の形態を示し、該ロック手段４６Ａはリンク部材２５の軸支部側方に位置してＬ形に形成された係止部４９と、作動体２３の下方に垂下した係止片５０とで構成されている。なお、前記実施の形態と同じ構成については同一符号を付して説明する。
【００２４】
この実施の形態において、球払出制御装置からの指令により球払出装置１２のソレノイド２４が励磁されると、リンク部材２５が回動し係合ピン３４が長孔３２を移動して、リンク部材２５が約１０°回動すると係止部４９と係止片５０との係止状態が解除され、図９鎖線に示したように作動体２３が回動して支持部３１が窓孔４０から没し、支持部３１に支持されていたパチンコ球が制止されなくなることで、自重により該パチンコ球が払出通路部２２ｂに払い出される。
【００２５】
また、ピアノ線等の不正具Ｗを差込み、最先のパチンコ球を支持する作動体２３を作動させようとしても、係止片５０が係止部４９に係止してリンク部材２５を支軸３５側方を引くため、リンク部材２５を回動させる作用力が働かず、作動体２３を作動させることができないので、故意に球停留手段２１を作動させてパチンコ球を払出すという不正行為を未然に防止することができる。
【００２６】
図１０はロック手段のさらに他の実施の形態を示し、該ロック手段４６Ｂはリンク部材２５とソレノイド２４に設けられ、リンク部材２５の二股状の係合部３６の下方の係合突片５１と、ソレノイド２４の操作体３８の突片３９下部の衝止部５２とでなり、該ロック手段４６Ｂはリンク部材２５の軸支３５位置より下方に位置している。なお、前記実施の形態と同じ構成については同一符号を付して説明する。
【００２７】
この実施の形態において、球払出制御装置からの指令により球払出装置１２のソレノイド２４が励磁されると、ロック手段４６Ｂに何等影響を受けることなくリンク部材２５が回動し、それに伴って図１０鎖線に示したように作動体２３が回動して支持部３１が窓孔４０から没し、支持部３１に支持されていたパチンコ球が制止されなくなることで、自重により該パチンコ球が払出通路部２２ｂに払い出される。このとき突片３９と係合部３６とに隙間があるため、ソレノイド２４が最も力が掛かる始動時に該隙間が助走距離となり、ソレノイド２４に負担をかけることなくリンク部材２５および作動体２３を確実に作動させることができる。
【００２８】
また、ピアノ線等の不正具Ｗにより作動体２３を作動させようとしても、作動体２３に連動するリンク部材２５の係合突片５１と、ソレノイド２４の操作体３８の衝止部５２が衝止して、操作体３８がガイドリブ２９により上下方向にしか可動せず、しかも該ロック手段４６Ｂがリンク部材２５の軸支３５位置より下方に位置しているため、リンク部材２５が回動できず、作動体２３は作動しないので、故意に球停留手段２１を作動させてパチンコ球を払出すという不正行為を未然に防止することができる。
【００２９】
図１１は他の実施の形態の球払出装置を示し、該球払出装置の球停留手段２１は作動体２３とソレノイド２４からなり、該作動体２３は球通路２２の内周側に支軸３０により鉛直面内で回転自在に軸支され、先端に嘴状に尖った支持部３１が形成され、基部背面に二股状の係合部５３を設けると共に、ソレノイド２４のプランジャー３７に固着された作動体３８の突片３９を該係合部５３間に遊嵌し、該ソレノイド２４が励磁作動すると作動体２３が支軸３０を支点として反復回転し、支持部３１が窓孔４０より出没動することでパチンコ球の流下を制止し得るように構成している。また、作動体２３の二股状の係合部５３の上方の係合突片５４と、ソレノイド２４の操作体３８の突片３９上部の衝止部５５とでロック手段４６Ｃを構成しており、該ロック手段４６Ｃは作動体２３の軸支３０位置より上方に位置している。なお、ソレノイド２４を上向き縦置きとしているが、駆動方向に限定されることなく横置きとしてもよい。
【００３０】
この実施の形態において、ソレノイド２４が励磁されると、図１１鎖線に示すようにロック手段４６Ｃに何等影響を受けることなく作動体２３が回動して支持部３１が窓孔４０から没し、支持部３１に支持されていたパチンコ球が制止されなくなることで、自重により該パチンコ球が払出通路部２２ｂに払出される。
【００３１】
また、ピアノ線等の不正具Ｗにより作動体２３を作動させようとしても、作動体２３の係合突片５４と、ソレノイド２４の操作体３８の衝止部５５が衝止して、操作体３８がガイドリブ２９により上下方向にしか可動せず、しかも該ロック手段４６Ｃが作動体２３の軸支３０位置より上方に位置しているため、作動体２３は作動しないので、故意に球停留手段２１を作動させてパチンコ球を払出すという不正行為を未然に防止することができる。
【００３２】
また、図１２は通路部２２特に払出通路部２２ｂの他の実施の形態を示し、同図（イ）に示すように内面形状を八角形とし、対角線状の角部に鎖線で示すようにパチンコ球の通過時に不正具Ｗが挿入される隙間を無くすようにすることで、不正具Ｗが挿入されるとパチンコ球が不正具Ｗによって払出されなくなる。なお、内面形状を八角形に限定されるものではなく、五角形以上の多角形またはパチンコ球の径より僅かに大径の円筒でもよい。また、図１２（ロ）に示すように、通路部２２を屈曲状に形成し、さらに屈曲部上壁に不正具Ｗの嵌凹部５６を形成することにより不正具Ｗが挿入し難くなる。
【００３３】
【発明の効果】
以上、説明したところから明らかなように、本発明に係るパチンコ機の球払出装置は、球停留手段に、球停留手段の不正操作を阻止するロック手段を設けるようにしたものであるから、パチンコ機の前面側から巧みに不正具を侵入させても、ロック手段により球停留手段を操作することができず、不正にパチンコ球を獲得するような事態を確実に防止することができる。
【００３４】
また、球通路に臨んで最先のパチンコ球を支持する作動体の下面を先細テーパ状に形成するようにしたので、侵入してくる不正具がテーパーにより滑り、不正にパチンコ球を獲得することができない。
【図面の簡単な説明】
【図１】本発明が適用されるパチンコ機の正面図である。
【図２】本発明が適用されるパチンコ機の裏面図である。
【図３】球払出装置の斜視図である。
【図４】球払出装置の分解斜視図である。
【図５】球払出装置部分の正面断面図である。
【図６】球払出装置の平面断面図である。
【図７】（イ），（ロ）は作動体の要部断面図である。
【図８】パチンコ機の要部側断面図である。
【図９】他の実施の形態のロック手段を示す球払出装置部分の正面断面図である。
【図１０】他の実施の形態のロック手段を示す球払出装置部分の正面断面図である。
【図１１】他の実施の形態の球払出装置部分の正面断面図である。
【図１２】（イ），（ロ）は通路部の他の実施の形態の要部断面図である。
【符号の説明】
１２                    球払出装置
２１                    球停留手段
２２                    球通路
２２ａ                  供給通路部
２２ｂ                  払出通路部
２３                    作動体（球停留手段）
２４                    ソレノイド（球停留手段）
２５                    リンク部材
４６，４６Ａ〜４６Ｃ    ロック手段
４７                    突部（ロック手段）
４８                    衝止部（ロック手段）
４９                    係止片（ロック手段）
５０                    係止部（ロック手段）
５１                    係合突片（ロック手段）
５２                    衝止部（ロック手段）
５４                    係合突片（ロック手段）
５５                    衝止部（ロック手段）
【図１】
0004564618.tif 000002
【図２】
0004564618.tif 000003
【図３】
0004564618.tif 000004
【図４】
0004564618.tif 000005
【図５】
0004564618.tif 000006
【図６】
0004564618.tif 000007
【図７】
0004564618.tif 000008
【図８】
0004564618.tif 000009
【図９】
0004564618.tif 000010
【図１０】
0004564618.tif 000011
【図１１】
0004564618.tif 000012
【図１２】
0004564618.tif 000013